(57)【要約】【課題】表紙の背表紙の外表面に綴じ具を表紙に固着する固着具の一部が突出することなく、平面状の背表紙部を形成することができるファイル・バインダ類用表紙およびその製法を提供することである。【解決手段】ファイル・バインダ類用表紙は、表表紙１２と、裏表紙１４と、前記表表紙１２と裏表紙１４との間に連設された背表紙１６とを備えたファイル・バインダ類用表紙であって、表表紙１２及び裏表紙１４は、背表紙１６との連設部２０，２２の近傍において、上端から下端に亘って連続した折り曲げ部２４，２６が形成され、前記連設部２０，２２と折り曲げ部２４，２６の間において、綴じ具取り付け材１８が、背表紙１６と対向して、少なくとも表表紙１２と裏表紙１４の内側面に固着されている。【選択図】図２
2006205453.tif 000002
【特許請求の範囲】
【請求項１】
表表紙と、裏表紙と、前記表表紙と裏表紙との間に連設された背表紙とを備えたファイル・バインダ類用表紙であって、
表表紙及び裏表紙は、背表紙との連設部の近傍において、上端から下端に亘って連続した折り曲げ部が形成され、
前記連設部と折り曲げ部の間において、綴じ具取り付け材が、背表紙と対向して、少なくとも表表紙と裏表紙の内側面に固着された、ファイル・バインダ類用表紙。
【請求項２】
前記綴じ具取り付け材は、板状体であり、
背表紙に対向する面とは反対側に綴じ具が固定され、
前記綴じ具が固定された面とは反対側の面を背表紙の内側面に対向するように固定された、請求項１に記載のファイル・バインダ類用表紙。
【請求項３】
前記綴じ具は、背表紙に対向する面とは反対側に、綴じ具から背表紙に対向する面に亘る固着具により固着され、
前記綴じ具取り付け材は、
背表紙に対向する面に、前記固着具の背表紙に対向する面から突き出た部位と同じかそれよりも高い凸部が形成された、請求項１または請求項２に記載のファイル・バインダ類用表紙。
【請求項４】
前記凸部は、綴じ具取り付け材の背表紙に対向する面から突き出し設けられた、小突起である、請求項３に記載のファイル・バインダ類用表紙。
【請求項５】
前記凸部は、綴じ具取り付け材の表表紙側及び裏表紙側が表紙の幅方向において背表紙側に突き出して形成された、表表紙側と裏表紙側とが同一の幅を有する板状である、請求項３に記載のファイル・バインダ類用表紙。
【請求項６】
前記綴じ具取り付け材は、綴じ具取り付け部と、前記綴じ具取り付け部に連設された凸部とを備え、横断面ロ字状または横断面コ字状の長さ方向を有する紙または合成樹脂からなる、請求項５に記載のファイル・バインダ類用表紙。
【請求項７】
前記綴じ具取り付け材は、幅方向における両端縁近傍において又は凸部の背表紙側部位において背表紙と固着された、請求項１ないし請求項６のいずれかに記載のファイル・バインダ類用表紙。
【請求項８】
表表紙と、裏表紙と、前記表表紙と裏表紙との間に連設された背表紙とを備えたファイル・バインダ類用表紙を製造する方法であって、
前記表表紙及び裏表紙と背表紙との間において連設部を形成する、連設部形成ステップと、
表表紙及び裏表紙に、背表紙との連設部の近傍において、上端から下端に亘って連続した折り曲げ部を形成する、折り曲げ部形成ステップと、
前記連設部と折り曲げ部の間において、綴じ具取り付け材を、背表紙と対向して少なくとも表表紙と裏表紙の内側面に固定する、綴じ具取り付け材固定ステップとからなる、ファイル・バインダ類用表紙の製法。
【請求項９】
表表紙と、裏表紙と、前記表表紙と裏表紙との間に連設された背表紙とを備えたファイル・バインダ類用表紙を製造する方法は、更に、
板状の綴じ具取り付け材に、背表紙に対向する面とは反対側面に綴じ具を固定する、綴じ具固定ステップを含み、
綴じ具取り付け材固定ステップは、前記綴じ具が固定された面とは反対側の面を背表紙の内側面に対向するように、綴じ具取り付け材を固定するステップを含む、請求項８に記載のファイル・バインダ類用表紙の製法。
【請求項１０】
表表紙と、裏表紙と、前記表表紙と裏表紙との間に連設された背表紙とを備えたファイル・バインダ類用表紙を製造する方法は、更に、
綴じ具取り付け材に、背表紙に対向する面から固着具の突き出た部位と同じかそれよりも高い凸部を、背表紙に対向する面に形成する、凸部形成ステップを含み、
前記綴じ具固定ステップは、背表紙に対向する面とは反対側に、綴じ具から背表紙に対向する面に亘る固着具により綴じ具を固着するステップを含む、請求項８または請求項９に記載のファイル・バインダ類用表紙の製法。
【請求項１１】
前記凸部形成ステップは、綴じ具取り付け材の背表紙に対向する面に、小突起を形成するステップを含む、請求項１０に記載のファイル・バインダ類用表紙の製法。
【請求項１２】
前記凸部形成ステップは、綴じ具取り付け材の表表紙側及び裏表紙側が表紙の幅方向において背表紙側に突き出し、表表紙側と裏表紙側とが同一の幅を有する板状を形成するステップを含む、請求項１０に記載のファイル・バインダ類用表紙の製法。
【請求項１３】
綴じ具取り付け材固定ステップは、綴じ具取り付け部と前記綴じ具取り付け部に連設された凸部とを備え、横断面ロ字状または横断面コ字状の長さ方向を有する紙または合成樹脂からなる綴じ具取り付け材を固着するステップを含む、請求項１２に記載のファイル・バインダ類用表紙の製法。
【請求項１４】
綴じ具取り付け材固定ステップは、
綴じ具取り付け材を、幅方向における両端縁近傍において又は凸部の背表紙側部位において、背表紙と固着するステップを含む、請求項８ないし請求項１３のいずれかに記載のファイル・バインダ類用表紙の製法。
【請求項１５】
表表紙、裏表紙及び背表紙は、
シート状紙若しくはシート状合成樹脂又はくるみ貼りされてなるシート状物からなる、請求項１ないし１４のいずれかに記載のファイル・バインダ類用表紙またはファイル・バインダ類用表紙の製法。
【発明の詳細な説明】
【技術分野】
【０００１】
この発明は、ファイル・バインダ類用表紙およびその製法に関し、特にたとえば、背表紙部の両側に表表紙と裏表紙が連設され、表表紙と裏表紙との間に綴じ具が取り付けられるファイル・バインダ類用表紙およびその製法に関する。
【背景技術】
【０００２】
従来、熱可塑性樹脂のシート材に互いに平行な２本の薄肉ヒンジ部を形成し、このヒンジ部のやや内側寄りの位置において互いに平行な略Ｖ字溝をヒートプレス成形すると同時にシート材に略Ｖ字溝を閉塞する方向の加圧力を加えて互いの溝壁を接合することにより、開閉用の薄肉ヒンジ部を背部寄りに有する表紙と裏表紙を背部に対して立設状態に連設したファイリングカバーの製造方法がある。
【０００３】
【特許文献１】特許第２６９３１００号公報
【発明の開示】
【発明が解決しようとする課題】
【０００４】
特許第２６９３１００号公報に開示されたファイリングカバーにおいては、見開き状態において綴じ具が収納保管した書類等のシート状物の上面から突出することがなく、収納保管した書類等の見開き状態が可及的に平面状態となり見やすくなるが、綴じ具の背部に取り付けるための鋲の頭部が背部の外表面に突出するために、背部の外表面と均一な面にならず、見開き状態としたときに不安定になる恐れがある。
【０００５】
それゆえに、この発明の主たる目的は、表紙の背表紙の外表面に綴じ具を表紙に固着する固着具の一部が突出することなく、平面状の背表紙部を形成することができるファイル・バインダ類用表紙およびその製法を提供することである。
【課題を解決するための手段】
【０００６】
この発明の請求項１にかかるファイル・バインダ類用表紙は、表表紙と、裏表紙と、前記表表紙と裏表紙との間に連設された背表紙とを備えたファイル・バインダ類用表紙であって、表表紙及び裏表紙は、背表紙との連設部の近傍において、上端から下端に亘って連続した折り曲げ部が形成され、前記連設部と折り曲げ部の間において、綴じ具取り付け材が、背表紙と対向して、少なくとも表表紙と裏表紙の内側面に固着された、ファイル・バインダ類用表紙である。
この発明の請求項２にかかるファイル・バインダ類用表紙は、前記綴じ具取り付け材は、板状体であり、背表紙に対向する面とは反対側に綴じ具が固定され、前記綴じ具が固定された面とは反対側の面を背表紙の内側面に対向するように固定された、請求項１に記載のファイル・バインダ類用表紙である。
この発明の請求項３にかかるファイル・バインダ類用表紙は、前記綴じ具は、背表紙に対向する面とは反対側に、綴じ具から背表紙に対向する面に亘る固着具により固着され、
前記綴じ具取り付け材は、背表紙に対向する面に、前記固着具の背表紙に対向する面から突き出た部位と同じかそれよりも高い凸部が形成された、請求項１または請求項２に記載のファイル・バインダ類用表紙である。
この発明の請求項４にかかるファイル・バインダ類用表紙は、前記凸部は、綴じ具取り付け材の背表紙に対向する面から突き出し設けられた、小突起である、請求項３に記載のファイル・バインダ類用表紙である。
この発明の請求項５にかかるファイル・バインダ類用表紙は、前記凸部は、綴じ具取り付け材の表表紙側及び裏表紙側が表紙の幅方向において背表紙側に突き出して形成された、表表紙側と裏表紙側とが同一の幅を有する板状である、請求項３に記載のファイル・バインダ類用表紙である。
この発明の請求項６にかかるファイル・バインダ類用表紙は、前記綴じ具取り付け材は、綴じ具取り付け部と、前記綴じ具取り付け部に連設された凸部とを備え、横断面ロ字状または横断面コ字状の長さ方向を有する紙または合成樹脂からなる、請求項５に記載のファイル・バインダ類用表紙である。
この発明の請求項７にかかるファイル・バインダ類用表紙は、前記綴じ具取り付け材は、幅方向における両端縁近傍において又は凸部の背表紙側部位において背表紙と固着された、請求項１ないし請求項６のいずれかに記載のファイル・バインダ類用表紙である。
この発明の請求項８にかかるファイル・バインダ類用表紙の製法は、表表紙と、裏表紙と、前記表表紙と裏表紙との間に連設された背表紙とを備えたファイル・バインダ類用表紙を製造する方法であって、前記表表紙及び裏表紙と背表紙との間において連設部を形成する、連設部形成ステップと、表表紙及び裏表紙に、背表紙との連設部の近傍において、上端から下端に亘って連続した折り曲げ部を形成する、折り曲げ部形成ステップと、前記連設部と折り曲げ部の間において、綴じ具取り付け材を、背表紙と対向して少なくとも表表紙と裏表紙の内側面に固定する、綴じ具取り付け材固定ステップとからなる、ファイル・バインダ類用表紙の製法である。
この発明の請求項９にかかるファイル・バインダ類用表紙の製法は、表表紙と、裏表紙と、前記表表紙と裏表紙との間に連設された背表紙とを備えたファイル・バインダ類用表紙を製造する方法は、更に、板状の綴じ具取り付け材に、背表紙に対向する面とは反対側面に綴じ具を固定する、綴じ具固定ステップを含み、綴じ具取り付け材固定ステップは、前記綴じ具が固定された面とは反対側の面を背表紙の内側面に対向するように、綴じ具取り付け材を固定するステップを含む、請求項８に記載のファイル・バインダ類用表紙の製法である。
この発明の請求項１０にかかるファイル・バインダ類用表紙の製法は、表表紙と、裏表紙と、前記表表紙と裏表紙との間に連設された背表紙とを備えたファイル・バインダ類用表紙を製造する方法は、更に、綴じ具取り付け材に、背表紙に対向する面から固着具の突き出た部位と同じかそれよりも高い凸部を、背表紙に対向する面に形成する、凸部形成ステップを含み、前記綴じ具固定ステップは、背表紙に対向する面とは反対側に、綴じ具から背表紙に対向する面に亘る固着具により綴じ具を固着するステップを含む、請求項８または請求項９に記載のファイル・バインダ類用表紙の製法である。
この発明の請求項１１にかかるファイル・バインダ類用表紙の製法は、前記凸部形成ステップは、綴じ具取り付け材の背表紙に対向する面に、小突起を形成するステップを含む、請求項１０に記載のファイル・バインダ類用表紙の製法である。
この発明の請求項１２にかかるファイル・バインダ類用表紙の製法は、前記凸部形成ステップは、綴じ具取り付け材の表表紙側及び裏表紙側が表紙の幅方向において背表紙側に突き出し、表表紙側と裏表紙側とが同一の幅を有する板状を形成するステップを含む、請求項１０に記載のファイル・バインダ類用表紙の製法である。
この発明の請求項１３にかかるファイル・バインダ類用表紙の製法は、綴じ具取り付け材固定ステップは、綴じ具取り付け部と前記綴じ具取り付け部に連設された凸部とを備え、横断面ロ字状または横断面コ字状の長さ方向を有する紙または合成樹脂からなる綴じ具取り付け材を固着するステップを含む、請求項１２に記載のファイル・バインダ類用表紙の製法である。
この発明の請求項１４にかかるファイル・バインダ類用表紙の製法は、綴じ具取り付け材固定ステップは、綴じ具取り付け材を、幅方向における両端縁近傍において又は凸部の背表紙側部位において、背表紙と固着するステップを含む、請求項８ないし請求項１３のいずれかに記載のファイル・バインダ類用表紙の製法である。
この発明の請求項１５にかかるファイル・バインダ類用表紙およびその製法は、表表紙、裏表紙及び背表紙は、シート状紙若しくはシート状合成樹脂又はくるみ貼りされてなるシート状物からなる、請求項１ないし１４のいずれかに記載のファイル・バインダ類用表紙またはファイル・バインダ類用表紙の製法である。
【発明の効果】
【０００７】
この発明のファイル・バインダ類用表紙によれば、表表紙および裏表紙は、背表紙との連設部の近傍において、上端から下端にわたって連続した折り曲げ部が形成され、前記連設部と折り曲げ部の間において、綴じ具取り付け材が、背表紙と対向して、少なくとも表表紙と裏表紙に固着されているので、背表紙の外側面に綴じ具を表紙に固着する固着具の一部が突出することがなく、背表紙の外表面を平面にすることができる。
また、この発明のファイル・バインダ類用表紙の製法によれば、表表紙および裏表紙と背表紙との間において連設部を形成するステップと、表表紙より裏表紙に、背表紙との連設部の近傍において、上端から下端にわたって連設した折り曲げ部を形成するステップと、前記連設部と折曲げ部の間において、綴じ具取り付け材を背表紙と対向して、少なくとも表表紙と裏表紙に固定するステップとからなるので、綴じ具を表紙に容易に取り付けることができ、且つ、表紙に綴じ具を取り付ける固着具の一部が背表紙の外側面に突出することなく、平面状の背表紙を備えたファイル・バインダ類用表紙を得ることができる。
【０００８】
この発明の上述の目的、その他の目的、特徴および利点は、図面を参照して行う以下の発明を実施するための詳細な説明から一層明らかとなろう。
ファイルとバインダは、ほぼ同義であるが、ファイルとはおおむね記録済みの文書（伝票・カタログ・書類など）をとじ、又は、はさみ入れて整理・保管することのできる表紙をいい、バインダとはおおむね未記録のとじ穴のある用紙（ルーズリーフ、帳票など）をそう入し、記録できる、とじ具付き表紙をいうことがある。
この明細書および特許請求の範囲において、ファイル・バインダの表紙の高さ、表紙の幅および背幅は、一般的に用いられている表現を用いているが、念のために、図３３において、表紙の高さをＨ、表紙の幅をＷ、背幅をＴとして示す。
【発明を実施するための最良の形態】
【０００９】
図１は、この発明の一実施の形態であるファイル用表紙の斜視図解図である。
図２は、図１図示ファイル用表紙の底面図である。
ファイル用表紙１０は、紙からなる表表紙１２と裏表紙１４と、前記表表紙１２と裏表紙１４との間に連設された背表紙１６とを備えている。
表表紙１２と裏表紙１４との間であって背表紙１６の内側に、綴じ具Ｘを固着する綴じ具取り付け材１８が固着されている。
【００１０】
表表紙１２および裏表紙１４は、ほぼ直角に交差するように、表表紙１２と裏表紙１４の高さ方向において上端から下端に亘って連続する直線状の表連設部２０および裏連設部２２を介して、背表紙１６に連設されている。
そして、表表紙１２と裏表紙１４は、高さ方向においてその上端から下端に亘って、背表紙１６との表連設部２０および裏連設部２２の近傍において、表連設部２０および裏連設部２２に平行に表折り曲げ部２４と裏折り曲げ部２６とが形成されている。
表折り曲げ部２４と裏折り曲げ部２６とは、表紙の幅方向における高さすなわち背表紙１６の内側面との間の長さは同一で、綴じ具Ｘの保持部材（カブセ）Ｘ２の高さと同一かもしくはやや高い位置に形成されている（図２図示）。
前記表連設部２０と表折り曲げ部２４との間においておよび裏連設部２２と裏折り曲げ部２６との間において、綴じ具取り付け材１８を、背表紙１６と対向して、表表紙１２と裏表紙１４の内側面に固定されている。
【００１１】
綴じ具取り付け材１８は、表表紙１２と同一素材からなる平面略長方形の板状体であり、背表紙１６に対向する面とは反対側に綴じ具Ｘが固定され、前記綴じ具Ｘが固定された面とは反対側の面を背表紙１６の内側面に対向するように固定される。
綴じ具Ｘは、背表紙１６に対向する面とは反対側に、綴じ具Ｘから背表紙１６に対向する面に亘る固着具Ｙにより固着される。
固着具Ｙとしては、丸棒の一端にひっかかり用の半球状の頭をもつ鋲が用いられ、その他たとえば丸リベット等を用いてもよい。
【００１２】
綴じ具取り付け材１８は、背表紙１６に対向する面に、前記固着具Ｙの背表紙１６に対向する面から突き出た部位、例えば鋲の半球状の頭部と同じかそれよりも高い高さを有する凸部２８が適宜な間隔をおいて複数形成されている。
【００１３】
この実施の形態においては、凸部２８は、綴じ具取り付け材１８の背表紙１６に対向する面から突き出し設けられた、半球状小突起であり、綴じ具取り付け材１８の上下端縁及び左右端縁に沿ってそれらの近傍に点在している。
【００１４】
綴じ具取り付け材１８は、背表紙１６とほぼ同一の幅を備え、表表紙側の直線状端縁１８ａと表表紙１２の内側面とが固着され、且つ、裏表紙側の直線上端縁１８ｂと裏表紙１４の内側面とが固着される。
綴じ具取り付け材１８は、前記凸部２８の頂部が背表紙１６の内側面に接する位の高さにおいて、背表紙１６とほぼ平行になるように固着されている。
【００１５】
表表紙１２、裏表紙１４および背表紙１６は、表連設部２０および裏連設部２２を介して一体的に形成され、一枚のシート状表紙材１１０に筋入れすることにより、表連設部２０および裏連設部２２と表折り曲げ部２４及び裏折り曲げ部２６とを形成し、表紙１０を構成している。
表連設部２０と裏連設部２２とは、外側（表側）から内側（裏側）に向けて膨らむ断面Ｕ字状の筋によって形成され、また、表折り曲げ部２４および裏折り曲げ部２６は、内側（裏側）から外側（表側）に向けて膨らむ断面Ｕ字状の筋によって形成されている。
【００１６】
なお、表表紙１２、裏表紙１４および背表紙１６を構成する表紙材１１０は、前記板状の紙のほか、たとえばポリプロピレン等の板状の合成樹脂や、板紙の表面を紙や布で包み（くるみ）貼りしてなる包み（くるみ）貼りシート状物をもって形成してもよい。
【００１７】
前記実施の形態においては、綴じ具取り付け材１８は、凸部２８が突設されていたが、凸部２８を形成しない平板上の紙材に綴じ具Ｘを固着具Ｙたる鋲をもって固着するようにしてもよい。
例えば、図１４および１５において示すように、固着具Ｙの頭部の頂部を背表紙１６の内側面に接するようにして、表表紙１２と裏表紙１４の間であって背表紙１６にほぼ平行に対向するようにして、表表紙１２の内側面と裏表紙１４の内側面に固着してもよい。
【００１８】
また、綴じ具取り付け材１８は、平板状に限らず、たとえば図１６および１７に示すような形状でもよい。
この図１６および１７図示綴じ具取り付け材２１８は、表表紙１２側および裏表紙１４側が同一の幅を有して表紙の高さ方向において上側から下側に亘って形成された断面Ｕ字状の筋によって、平面略長方形の綴じ具取り付け部２１８ａの左右端縁において背表紙１６側に折り曲げられて形成された長方形状凸部２２８を有し、綴じ具取り付け部２１８ａの左右端に一対の長方形状凸部２２８が突設された全体として断面コ字型に形成されている。
そして、綴じ具取り付け材２１８は、表表紙側長方形状凸部２２８ａの直線状自由端と裏表紙側長方形状凸部２２８ｂの直線状自由端において、背表紙１６の内側面に固着されている。
綴じ具取り付け材２１８の綴じ具取り付け部２１８ａの幅は、表表紙１２と裏表紙１４の間隔とほぼ同一の幅を有し、長方形状凸部２２８の高さは、表連設部２０と表折り曲げ部２４との間および裏連設部２２と裏折り曲げ部２６との間、すなわち表紙の幅方向における長さよりも低い。
この実施の形態においては、綴じ具Ｘの保持部材（カブセ）Ｘ２の高さとほぼ同一の間隔あるいはそれより若干長い間隔が、綴じ具取り付け材２１８の綴じ具取り付け部２１８ａの上面と表折り曲げ部２４および裏折り曲げ部２６との間に空くように構成されている（図１７図示）。
【００１９】
次に、図１図示ファイル用表紙の製法について、図３ないし図１３に基づいて説明する。
まず、原反（板紙）を準備し、それにトムソン加工を施して、表紙１０となる表紙材１１０を抜き、表表紙１２と裏表紙１４と背表紙１６とをあわせた大きさの表紙材１１０を形成する（表紙材成形ステップ）。
【００２０】
次に、この表紙材１１０における、後に背表紙１６となる背表紙エリア１１６の表面に背見出し紙Ｚを接着剤で貼着する（背見出し紙貼着ステップ）。
【００２１】
次に、表紙材１１０の表側（外側）に、後に表連設部２０および裏連設部２２となる部位に、プレス金型またはロール金型によって筋入れ加工を施す。すなわち、表紙材１１０の幅方向に（表紙の高さ方向における上端側から下端側に亘って）連続して、断面Ｕ字状筋を形成して、表連設部２０および裏連設部２２を成形する（連設部成形ステップ）。
【００２２】
次に、表紙材１１０を反転して表側（外側）を下にし表紙材１１０の裏側（内側）を上にして、プレス金型またはロール金型により筋入れ加工を施す。すなわち、表紙材１１０の幅方向に（表紙の高さ方向における上端側から下端側に亘って）連続して、断面Ｕ字状筋を形成して、表折り曲げ部２４および裏折り曲げ部２６を成形する（折り曲げ部成形ステップ）。
【００２３】
そして、前記折り曲げ部成形ステップにおいて、同時に、表連設部２０および裏連設部２２の近傍において表紙材１１０の上端近傍から下端近傍側に亘って、図９に示すように溶融したホットメルト接着剤１４０を一定幅の帯状に塗布する。
この実施の形態においては、ホットメルト接着剤１４０は、綴じ具取り付け材１８と表表紙１２および裏表紙１４の内側面とを固着するとともに綴じ具取り付け材１８の背表紙１６面側に突設された凸部２８が当設する領域に亘ってホットメルト接着剤が行き渡るように、適宜な幅および厚さで塗布される。
なお、ホットメルト接着剤１４０としては、帯状の固形のシート体のものを用いてもよい。
【００２４】
次に、表紙材１１０と同様の素材からなる長方形状板状体からなる綴じ具取り付け材１８となる綴じ具取り付け材素材１１８を準備し（図６図示）、綴じ具Ｘの綴じ具取り付け材１８に取り付ける固着具Ｙ、たとえば鋲の頭と同一の高さを有する小突起を形成するために、綴じ具取り付け材１８の綴じ具Ｘの取り付け面から背表紙１６に対向する面に向けてプレス加工を施し、背表紙１６側に突設した小突起からなる凸部２８を形成する（凸部形成ステップ）。更に、綴じ具取り付け材素材１１８の幅方向における中央線上に適宜な間隔をおいて固着具取り付け穴１８ｄを穿設する（図６図示）。
【００２５】
次に、綴じ具取り付け材１８の綴じ具取り付け表面に綴じ具Ｘ、この実施の形態においては、リング金具の取り付け穴Ｘ１に固着具Ｙを固定する。この実施の形態においては、図６に示すように、鋲の頭部を綴じ具取り付け材１８の背表紙１６面側にして脚部を綴じ具取り付け材１８に穿設された固着具取り付け穴１８ｄに貫挿し、脚部をリング金具の取り付け穴Ｘ１においてかしめて綴じ具Ｘを綴じ具取り付け材１８に取り付ける（綴じ具取り付けステップ）。
【００２６】
次に、図１０に示すように綴じ具Ｘが取り付けられた面を上側にして綴じ具取り付け材１８を表紙材１１０の背表紙エリア１１６の内側面（裏側面）に載置する（綴じ具取り付け材載置ステップ）。
【００２７】
次に、表連設部２０および裏連設部２２において表紙材１１０を折り曲げ、表表紙１２と裏表紙１４とがそれぞれの裏側（内側）が向き合うように平行となるまで折り曲げる。
そして、綴じ具取り付け材１８の直線状端縁１８ａと表表紙１２の内側面に載置されたホットメルト接着剤１４０とを密着させ、且つ、綴じ具取り付け材１８の直線状端縁１８ｂと裏表紙１４の裏側（内側）面に載置されたホットメルト接着剤１４０とを密着させる。
そして、図１２において示すように、表表紙１２の外側（表側）および裏表紙１４の外側（表側）の側方から板状ヒーターＨを押し当て、表表紙１２と裏表紙１４と綴じ具取り付け材１８の直線状端縁１８ａと直線状端縁１８ｂとに押し付け、プレスしながらホットメルト接着剤１４０を加熱する（プレス加熱ステップ）。
【００２８】
そして、ホットメルト接着剤１４０が溶融し、綴じ具取り付け材１８の直線状端縁１８ａと表表紙１２の裏側（内側）および綴じ具取り付け材１８の直線状端縁１８ｂと裏表紙１４の裏側（内側）を接着するとともに、綴じ具取り付け材１８に設けられた凸部２８の頂部近傍と背表紙１６の裏側（内側）面と接着した後、板状ヒーターＨを表表紙１２および裏表紙１４から離間させ、溶融したホットメルト接着剤１４０を冷却させる（接着剤冷却ステップ）。
【００２９】
而して、綴じ具取り付け材１８が表連設部２０と表折り曲げ部２４との間および裏連設部２２と裏折り曲げ部２６との間に背表紙１６と対向して、表表紙１２と裏表紙１４と背表紙１６の内側面に固定されたファイル用表紙が完成する。
【００３０】
次に、図１６および１７図示横断面コ字型の綴じ具取り付け材２１８が固着されたファイル用表紙２１０の製法について、図１８ないし図２２に基づいて説明する。
表紙２１０となる表紙材１１０の製法については、前記ファイル用表紙１０の製法と同様であるので、以下綴じ具取り付け材２１８の製法の部分のみについて説明する。
【００３１】
まず、図１８に示すように、綴じ具取り付け材２１８を作成するための平板状綴じ具取り付け材素材３１８を準備し、綴じ具取り付け部２１８ａの左右両端に長方形状凸部２２８を形成するために綴じ具取り付け材素材３１８を区画して折り曲げるための筋入れ加工を施して、綴じ具取り付け材素材３１８の表紙の高さ方向の上端から下端に亘って連続して、直線状に屈曲部２１８ｃを形成する。
そして、この筋入れ加工と同時に綴じ具Ｘを取り付ける固着具取り付け穴２１８ｄも穿設する（筋入れ穿設ステップ）。
【００３２】
次に、左右一対の屈曲部２１８ｃにより区画されてなる平面略長方形の綴じ具取り付け部２１８ａの表面に綴じ具Ｘを載置し、固着具Ｙを固着する。
この実施の形態においては、鋲の頭部側を綴じ具取り付け材２１８の裏側にして、綴じ具取り付け材２１８の綴じ具取り付け部２１８ａに穿設された固着具取り付け穴２１８ｄから綴じ具Ｘの取り付け穴Ｘ１に鋲を貫挿し、取り付け穴Ｘ１で鋲の脚部をかしめ半球状の頭部を形成して、綴じ具取り付け材２１８に綴じ具Ｘを固着する（綴じ具固着ステップ）。
【００３３】
次に、綴じ具取り付け材素材３１８の長方形状凸部２２８および屈曲部２１８ｃにおいて綴じ具Ｘが取り付けられた面とは反対側（裏側）に向けてほぼ直角に折り曲げて、表表紙側凸部２２８ａと裏表紙側凸部２２８ｂとが平行となるまで屈曲させる（長方形状凸部成形ステップ）。
【００３４】
次に、図２２において示すように、横断面略コ字型に成形された綴じ具取り付け材２１８を表紙材３１０の背表紙エリア３１６表面に載置する。
事前に、前記した実施の形態と同様に、ホットメルト接着剤３４０が表連設部２０および裏連設部２２近傍に塗布されているので、その上に綴じ具取り付け材２１８の長方形状凸部２２８を載置する。
その後は、図２２において示すように、たとえば背表紙１６の外側（表側）の部位に下方から板状ヒーターＨを押し当て、且つ、背表紙１６から直角に折り曲げられて上方に伸びた表表紙１２と裏表紙１４の外側（表側）の部位に左右方向から板状ヒーターＨでプレスしながらホットメルト接着剤３４０を加熱溶触させる（プレス加熱ステップ）。
【００３５】
ホットメルト接着剤３４０により綴じ具取り付け材２１８の表表紙側凸部２２８ａおよび裏表紙側２２８ｂの自由端たる直線状端縁部位が背表紙１６の内側（裏側）に接着されたときに、左右方向から押し当てた板状ヒーターＨを取り去るとともに下方から背表紙１６の外側（表側）に押し当てた板状ヒーターＨを取り去り冷却する（接着剤冷却ステップ）。
このようにして、綴じ具取り付け材２１８が背表紙１６に固着されたファイル用表紙２１０が完成する。
【００３６】
この発明は、前記実施の形態に限らずこの発明の思想に基づき種々変更することが可能である。
たとえば、図２３に示すように、表紙材５１０として熱可塑性樹脂のシート材を用いてもよい。この表紙材５１０の場合は、表連設部４２０および裏連設部４２２と表折り曲げ部４２４および裏折り曲げ部４２６を形成するために、互いに平行な断面略Ｖ字状のＶ字溝４２０Ａ、Ｖ字溝４２２Ａ、Ｖ字溝４２４Ａ、Ｖ字溝４２６Ａを板状ヒーターＨでヒートプレス成形し、表紙材５１０を折り曲げ可能に成形する（Ｖ字溝成形ステップ）。
そして、前記Ｖ字溝４２０Ａ、Ｖ字溝４２２Ａ、Ｖ字溝４２４Ａ、Ｖ字溝４２６Ａ内にホットメルト接着剤５４０を流し込み、表連設部４２０および裏連設部４２２に対応する前記Ｖ字溝４２０Ａ、Ｖ字溝４２２Ａ、Ｖ字溝４２４Ａ、Ｖ字溝４２６Ａを折り曲げて、ホットメルト接着剤５４０を固化することにより、表連設部４２０および裏連設部４２２を成形する（連設部形成ステップ）。
而して、表表紙４１２と裏表紙４１４と、前記表表紙４１２と裏表紙４１４との間に背表紙４１６を備え、Ｖ字溝４２４Ａからなる表折り曲げ部４２４とＶ字溝４２６からなる裏折り曲げ部４２６とを有する表紙４１０が形成される。
【００３７】
図１６及び図１７図示横断面コ字型の綴じ具取り付け材２１８に代えて、例えば図２８図示綴じ具取り付け材５１８のように、横断面ロの字型の綴じ具取り付け材５１８を表紙に固着してもよい。
このファイル表紙５１０の綴じ具取り付け材５１８は、例えば熱可塑性合成樹脂の押し出し成形により角筒状に成形したもので、綴じ具取り付け部５１８ａの両端に形成された長方形状凸部５２８を、ホットメルト接着剤６４０によって表紙材６１０の内側面に固着する。この実施の形態においては、長方形状凸部５２８を構成する表表紙側凸部５２８ａを表表紙５１２の内側面に、そして裏表紙側凸部５２８ｂを裏表紙５１４の内側面に、ホットメルト接着剤６４０によって固着する。
綴じ具取り付け部５１８ａには、綴じ具Ｘの取り付け穴Ｘ１が貫設され、固着具Ｙを取り付け穴Ｘ１に貫挿して綴じ具取り付け材５１８に綴じ具Ｘが固定される。
【００３８】
また、図１６及び図１７図示横断面コ字型の綴じ具取り付け材２１８と同様に、図２９図示ファイル表紙５１０の綴じ具取り付け材５１８Ｖのように紙材で形成されたものでよい。
この綴じ具取り付け材５１８Ｖは、綴じ具取り付け部５１８ａの左右端縁に形成された屈曲部５１８ｃ、５１８ｃと長方形状凸部５２８（表表紙側凸部５２８ａ及び裏表紙側凸部５２８ｂ）の下端縁にそれぞれ、綴じ具取り付け部５１８ａと平行となる延長凸部５２８ｃ及び５２８ｄを延設して、屈曲部５１８ｅ及び屈曲部５１８ｆで屈曲させて横断面ロの字型の綴じ具取り付け材５１８Ｖが形成されている。そして、表表紙側凸部５２８ａ及び裏表紙側凸部５２８ｂと表表紙５１２及び裏表紙５１４の内側面に固着し、且つ延長凸部５２８ｃ及び５２８ｄと背表紙５１６の内側面とをホットメルト接着剤６４０によって固着する。
綴じ具取り付け部５１８ａには、綴じ具Ｘの取り付け穴Ｘ１が貫設され、固着具Ｙを取り付け穴Ｘ１に貫挿して綴じ具取り付け材５１８Ｖに綴じ具Ｘが固定される。
【００３９】
また、表紙材１１０と綴じ具取り付け材１８との固着方法としては、図３０および図３１において示すように、背表紙１６の内側面においては接着することなく、単に、表表紙１２及び裏表紙１４の内側面と綴じ具取り付け材１８の左右の直線状端縁１８ａ及び直線状端縁１８ｂを固着してもよい。
【００４０】
また、綴じ具取り付け材の凸部の表紙の幅方向における高さは、前記実施の形態と比較してより高くしてもよい。
例えば、図３２図示ファイル表紙２１０の綴じ具取り付け材２１８Ｖのように、図１６及び図１７図示横断面コ字型の綴じ具取り付け材２１８よりも高い凸部２２８を形成し、表表紙側凸部２２８ａ及び裏表紙側凸部２２８ｂと表表紙１２及び裏表紙１４の内側面とを固着するホットメルト接着剤３４０により接着するようにしてもよい。
【図面の簡単な説明】
【００４１】
【図１】この発明の一実施の形態であるファイル用表紙の斜視図解図である。
【図２】図１図示ファイル用表紙の底面図である。
【図３】図１図示ファイル用表紙の製法を示す斜視図解図である。
【図４】図１図示ファイル用表紙の製法を示す斜視図解図である。
【図５】綴じ具取り付け材を示す図で、（Ａ）は底面図で（Ｂ）は側面図である。
【図６】綴じ具取り付け材に綴じ具を取り付ける方法を示す斜視図解図であり、（Ａ）は綴じ具を取り付ける前の状態を示し（Ｂ）は綴じ具を取り付けた状態を示す。
【図７】綴じ具を取り付けた綴じ具取り付け材の底面図である。
【図８】図１図示ファイル用表紙の製法を示す斜視図解図である。
【図９】図１図示ファイル用表紙の製法を示す斜視図解図である。
【図１０】図１図示ファイル用表紙の製法を示す正面図解図である。
【図１１】図１図示ファイル用表紙の製法を示す正面図解図である。
【図１２】図１図示ファイル用表紙の製法を示す正面図解図である。
【図１３】図１図示ファイル用表紙の製法を示す正面図解図である。
【図１４】この発明の別の実施の形態であるファイル用表紙の斜視図解図である。
【図１５】図１５図示ファイル用表紙の底面図である。
【図１６】この発明の別の実施の形態であるファイル用表紙の斜視図解図である。
【図１７】図１６図示ファイル用表紙の底面図である。
【図１８】図１６図示綴じ具取り付け材の製法を示す斜視図解図である。
【図１９】綴じ具取り付け材に綴じ具を取り付ける方法を示す斜視図解図であり、（Ａ）は綴じ具を取り付ける前の状態を示し（Ｂ）は綴じ具を取り付けた状態を示す。
【図２０】綴じ具取り付け材を示す図で、（Ａ）は正面図で（Ｂ）は背面図である。
【図２１】綴じ具を取り付けた綴じ具取り付け材の底面図である。
【図２２】綴じ具取り付け材に綴じ具を取り付ける方法を示す斜視図解図であり、（Ａ）は綴じ具を取り付ける前の状態を示し（Ｂ）は綴じ具を取り付けた状態を示す。
【図２３】この発明の別の実施形態であるファイル用表紙の製法を示す斜視図解図である。
【図２４】図２３図示ファイル用表紙の製法を示す斜視図解図である。
【図２５】図２３図示ファイル用表紙の製法を示す斜視図解図である。
【図２６】図２３図示ファイル用表紙の製法を示す斜視図解図である。
【図２７】図２３図示ファイル用表紙の製法を示す斜視図解図である。
【図２８】図１４図示ファイル用表紙の変形例であるファイル用表紙の底面図である。
【図２９】図２８図示ファイル用表紙の変形例であるファイル用表紙の底面図である。
【図３０】図１図示ファイル用表紙の変形例であるファイル用表紙の底面図である。
【図３１】図１４図示ファイル用表紙の変形例であるファイル用表紙の底面図である。
【図３２】図１６図示ファイル用表紙の変形例であるファイル用表紙の底面図である。
【図３３】この発明にかかるファイル・バインダ類用表紙の説明図である。
【符号の説明】
【００４２】
１０，２１０，４１０，５１０  表紙
１２，４１２，５１２  表表紙
１４，４１４，５１４  裏表紙
１６，４１６，５１６  背表紙
１８，１１８，２１８，５１８  綴じ具取り付け材
１８ａ  直線状端縁
１８ｂ  直線状端縁
１８ｄ，２１８ｄ  固着具取り付け穴
２０，４２０  表連設部
２２，４２２  裏連設部
２４，４２４  表折り曲げ部
２６，４２６  裏折り曲げ部
２８  凸部
１１０，３１０，５１０  表紙材
１１６，３１６  背表紙エリア
１１８，３１８  綴じ具取り付け材素材
１４０，３４０，５４０  ホットメルト接着剤
２１８ａ，５１８ａ  綴じ具取り付け部
２１８ｃ  屈曲部
２２８，５２８  長方形状凸部
２２８ａ，５２８ａ  表表紙側凸部
２２８ｂ，５２８ｂ  裏表紙側凸部
Ｈ  ヒーター
Ｘ  綴じ具
Ｘ１  取り付け穴
Ｘ２  保持部材
Ｙ  固着具
【図１】
2006205453.tif 000003
【図２】
2006205453.tif 000004
【図３】
2006205453.tif 000005
【図４】
2006205453.tif 000006
【図５】
2006205453.tif 000007
【図６】
2006205453.tif 000008
【図７】
2006205453.tif 000009
【図８】
2006205453.tif 000010
【図９】
2006205453.tif 000011
【図１０】
2006205453.tif 000012
【図１１】
2006205453.tif 000013
【図１２】
2006205453.tif 000014
【図１３】
2006205453.tif 000015
【図１４】
2006205453.tif 000016
【図１５】
2006205453.tif 000017
【図１６】
2006205453.tif 000018
【図１７】
2006205453.tif 000019
【図１８】
2006205453.tif 000020
【図１９】
2006205453.tif 000021
【図２０】
2006205453.tif 000022
【図２１】
2006205453.tif 000023
【図２２】
2006205453.tif 000024
【図２３】
2006205453.tif 000025
【図２４】
2006205453.tif 000026
【図２５】
2006205453.tif 000027
【図２６】
2006205453.tif 000028
【図２７】
2006205453.tif 000029
【図２８】
2006205453.tif 000030
【図２９】
2006205453.tif 000031
【図３０】
2006205453.tif 000032
【図３１】
2006205453.tif 000033
【図３２】
2006205453.tif 000034
【図３３】
2006205453.tif 000035